(57)【要約】【課題】部品種を減らすことができるとともに、施せるデザインの範囲を広げて、意匠性を高めることができるスナップボタン及び衣服を提供する。【解決手段】スナップボタン１１において、外径が軸線に沿う方向一端の先端に向かって次第に拡径される軸状の嵌合雄部２５を有する雄側部材１３と、嵌合雄部２５が進入する凹部３５を備えるとともに、嵌合雄部２５の先端大径部２７の通過を許容し、通過後には復元縮径して、嵌合雄部２５を凹部内に保持する付勢部材が凹部内周部に設けられる嵌合雌部３９を有する雌側部材１５と、を具備し、雄側部材１３と雌側部材１５とが、基材１９の一方の面２１と他方の面２３とに配置され、基材１９を挟んで表裏一体に連結部材１７で連結固定される。【選択図】  図２
2017029652.tif 000002
【特許請求の範囲】
【請求項１】
先端の外径のみが基端側の外径に対して大きく形成される略軸状の嵌合雄部を有する雄側部材と、
前記嵌合雄部が進入する凹部を備えるとともに、前記嵌合雄部の先端大径部の通過を許容し、通過後には復元縮径して、前記嵌合雄部を凹部内に保持する付勢部材が凹部内周部に設けられる嵌合雌部を有する雌側部材と、
を具備し、
前記雄側部材と前記雌側部材とが、基材の一方の面と他方の面とに配置され、前記基材を挟んで表裏一体に連結部材で連結固定されることを特徴とするスナップボタン。
【請求項２】
外径が軸線に沿う方向一端の先端に向かって次第に拡径される軸状の嵌合雄部を有する雄側部材と、
前記嵌合雄部が進入する凹部を備えるとともに、前記嵌合雄部の先端大径部の通過を許容し、通過後には復元縮径して、前記嵌合雄部を凹部内に保持する付勢部材が凹部内周部に設けられる嵌合雌部を有する雌側部材と、
を具備し、
前記雄側部材と前記雌側部材とが、基材の一方の面と他方の面とに配置され、前記基材を挟んで表裏一体に連結部材で連結固定されることを特徴とするスナップボタン。
【請求項３】
請求項１または２記載のスナップボタンであって、
前記嵌合雄部は、前記先端大径部の外接円と接する少なくとも二箇所で前記付勢部材の内側に係合することを特徴とするスナップボタン。
【請求項４】
請求項１または２または３記載のスナップボタンであって、
前記嵌合雄部は、先端面に意匠が施されることを特徴とするスナップボタン。
【請求項５】
請求項１〜４のいずれか１つに記載のスナップボタンであって、
前記雌側部材は、前記凹部に、底面を覆う被覆板が設けられていることを特徴とするスナップボタン。
【請求項６】
請求項１〜５のいずれか１つに記載のスナップボタンを用いた衣服であって、
前記基材である生地のいずれかの縁部に前記スナップボタンが設けられていることを特徴とするスナップボタンを用いた衣服。
【発明の詳細な説明】
【技術分野】
【０００１】
本発明は、雄側部材と雌側部材とで構成されて互いに嵌合し合うスナップボタン及びそれを用いた衣服に関する。
【背景技術】
【０００２】
従来、スナップボタンは、雄側部材と雌側部材とがそれぞれ異なる２部品種からなる（例えば特許文献１，２参照）。したがって、スナップボタンは、衣服の前身頃の左右合せ目のそれぞれの縁部に取り付けられる場合、合計４部品種が必要となる。すなわち、スナップボタンは、衣服に使用される場合、例えば雌側部材が表側になる前身頃に、雄側部材が裏側になる前身頃にそれぞれ設けられる。
雌側部材は、表面にキャップ或いはアタマと言われる、一般的には薄い円板状に形成され、着色なども施される部品と、裏面に凹部となるバネと言われる部品とからなる。雄側部材は、表面にバネに嵌合する嵌合雄部となるゲンコと言われる、先端側に凹部の内周部と係合する球状等の膨らみのある部品と、裏面にゲンコを保持するホソと言われるカシメ部品とからなる。
前身頃同士は、重なり部分において雌側部材の裏面と雄側部材の表面が対向し、バネとゲンコとをオスメス嵌合させることで止められる。
【先行技術文献】
【特許文献】
【０００３】
【特許文献１】特開平９−１７３１０８号公報
【特許文献２】実用新案登録第３１８１３６３号公報
【特許文献３】実用新案登録第２５９７０６１号公報
【発明の概要】
【発明が解決しようとする課題】
【０００４】
しかしながら、従来のスナップボタンは、前身頃の左右合せ目のそれぞれの縁部に取り付けられる場合、４部品種が必要となる。すなわち、雌側部材では上記したキャップとバネ、雄側部材ではゲンコとホソである。部品種の多いスナップボタンは、部品管理が煩雑となるとともに、金型や成形型の種類も多くなり、製造コストが嵩む。
また、特許文献３のスナップボタンは、筒形状部によって形成した凹部同士を嵌合させる構造である。すなわち、上記したゲンコに相当する部品形状も凹部状となっている。これは、凹部を筒形状部によって形成すれば、筒形状部の内周でカシメ用脚部のカシメが容易に行えるとともに、双方の内外周を嵌合構造として容易に用いることができるためである。ところが、特にスナップボタンが衣服に用いられた場合には、表側に凹部が露出すると、施せるデザインの幅や範囲が狭くなったり、衣服としての意匠性が低下したりする。例えば従来のスナップボタンは、表面を平坦面とし、外形状を特徴のある多角形等としたデザインを施すことができなかった。これに対し、キャップで凹部を覆う構成とすれば、意匠性は高められるが、部品点数を減らすことはできなくなる。
【０００５】
本発明は上記状況に鑑みてなされたもので、その目的は、部品種を減らすことができるとともに、スナップボタン自体に施せるデザインの範囲を広げて、意匠性を高めることができるスナップボタンを提供するとともに、そのスナップボタンを用い、このスナップボタンとともに意匠性の高い衣服を提供することにある。
【課題を解決するための手段】
【０００６】
次に、上記の課題を解決するための手段を、実施の形態に対応する図面を参照して説明する。
本発明の請求項１記載のスナップボタン１１は、先端の外径のみが基端側の外径に対して大きく形成される略軸状の嵌合雄部２５を有する雄側部材１３と、
前記嵌合雄部２５が進入する凹部３５を備えるとともに、前記嵌合雄部２５の先端大径部２７の通過を許容し、通過後には復元縮径して、前記嵌合雄部２５を凹部３５内に保持する付勢部材３７が凹部内周部に設けられる嵌合雌部３９を有する雌側部材１５と、
を具備し、
前記雄側部材１３と前記雌側部材１５とが、基材１９の一方の面２１と他方の面２３とに配置され、前記基材１９を挟んで表裏一体に連結部材１７で連結固定されることを特徴とする。
【０００７】
このスナップボタン１１では、基材１９の一方の面２１に雄側部材１３、基材１９の他方の面２３に雌側部材１５が配置され、これら一対の雄側部材１３及び雌側部材１５が連結部材１７によって一体に固定される。この一体となったスナップボタン１１は、例えば衣服５５の前身頃の左右合せ目のそれぞれの縁部に取り付けられる。つまり、左右の各前身頃の縁部の一方の面２１には雄側部材１３、他方の面２３には雌側部材１５がそれぞれ配置される。左右の縁部は、何れが表側或いは裏側に重ねられても、嵌合雄部２５と嵌合雌部３９とで係合が可能となる。したがって、スナップボタン１１は、前身頃の左右合せ目のそれぞれの縁部に取り付けられる場合、異なる形状の合計２部品種で構成、別言するといずれの前身頃も同じスナップボタンで構成が可能となる。
また、雄側部材１３の嵌合雄部２５は、軸状に形成される。これにより、従来の板金材からなる厚みの薄いキャップでは得ることのできなかった重厚なデザイン、例えば刻印を用いた装飾や立体的な装飾を施すことが可能となる。同時に、中実で構成できるので、外周面に強度を持たせることができるようにもなる。これにより、嵌合雄部２５は、従来のキャップでは困難な耐久性の高い先端大径部２７を得ることができる。さらに、この嵌合雄部２５は、嵌合雌部３９に係合が可能となり、従来でのキャップでありゲンコである構成となる。
【０００８】
本発明の請求項２記載のスナップボタン１１は、外径が軸線に沿う方向一端の先端に向かって次第に拡径される軸状の嵌合雄部２５を有する雄側部材１３と、
前記嵌合雄部２５が進入する凹部３５を備えるとともに、前記嵌合雄部２５の先端大径部２７の通過を許容し、通過後には復元縮径して、前記嵌合雄部２５を凹部３５内に保持する付勢部材３７が凹部内周部に設けられる嵌合雌部３９を有する雌側部材１５と、
を具備し、
前記雄側部材１３と前記雌側部材１５とが、基材１９の一方の面２１と他方の面２３とに配置され、前記基材１９を挟んで表裏一体に連結部材１７で連結固定されることを特徴とする。
【０００９】
このスナップボタン１１では、基材１９の一方の面２１に雄側部材１３、基材１９の他方の面２３に雌側部材１５が配置され、これら一対の雄側部材１３及び雌側部材１５が連結部材１７によって一体に固定される。この一体となったスナップボタン１１は、例えば衣服５５の前身頃の左右合せ目のそれぞれの縁部に取り付けられる。つまり、左右の各前身頃の縁部の一方の面２１には雄側部材１３、他方の面２３には雌側部材１５がそれぞれ配置される。左右の縁部は、何れが表側或いは裏側に重ねられても、嵌合雄部２５と嵌合雌部３９とで係合が可能となる。したがって、スナップボタン１１は、前身頃の左右合せ目のそれぞれの縁部に取り付けられる場合、異なる形状の合計２部品種で構成、別言するといずれの前身頃も同じスナップボタンで構成が可能となる。
また、雄側部材１３の嵌合雄部２５は、軸状に形成される。これにより、従来の板金材からなる厚みの薄いキャップでは得ることのできなかった重厚なデザイン、例えば刻印を用いた装飾や立体的な装飾を施すことが可能となる。同時に、中実で構成できるので、外周面に強度を持たせることができるようにもなる。これにより、嵌合雄部２５は、従来のキャップでは困難な耐久性の高い先端大径部２７を得ることができる。さらに、この嵌合雄部２５は、嵌合雌部３９に係合が可能となり、従来でのキャップでありゲンコである構成となる。
【００１０】
本発明の請求項３記載のスナップボタン１１は、請求項１または２記載のスナップボタン１１であって、
前記嵌合雄部２５は、前記先端大径部２７の外接円５３と接する少なくとも二箇所で前記付勢部材３７の内側に係合することを特徴とする。
【００１１】
このスナップボタン１１では、先端大径部２７の先端面の外形状が、真円以外であっても、嵌合雌部３９の凹部３５と係合を可能にできる。真円以外の外形状は、例えば楕円や長円、或いは三角形、四角形、六角形、星形等の多角形の他、花形やハート形の任意形状とすることが可能となる。
【００１２】
本発明の請求項４記載のスナップボタン１１は、請求項１または２または３記載のスナップボタン１１であって、
前記嵌合雄部２５は、先端面に意匠が施されることを特徴とする。
【００１３】
このスナップボタン１１では、嵌合雄部２５における先端大径部２７の先端面が、平坦面で形成が可能となることにより、従来のような先端面が凹部である場合に比べ、デザインの視認性を高めることができる。また、嵌合雄部２５が軸状に形成されることで、薄い板金キャップ等では実現できなかった、細密な隆起模様，立体的模様を刻印等によって施すことも可能となる。この他、先端面の意匠は、印刷、エッチング、切削、メッキ、レーザー加工、烙印、サンドブラスト、研磨、梨地加工、別素材の接着や溶着、嵌め込み等によって任意に付与することが可能となる。
【００１４】
本発明の請求項５記載のスナップボタン７３は、請求項１〜４のいずれか１つに記載のスナップボタンであって、
前記雌側部材１５は、前記凹部３５に、底面４９を覆う被覆板７５が設けられていることを特徴とする。
【００１５】
このスナップボタン７３では、雌側部材１５の凹部３５に被覆板７５が設けられることで、凹部３５の底面４９に表出する構造部材、例えばカシメられた脚筒部３１等を覆うことが可能となる。これにより、見栄えの低下している底面４９の美観を高めることが可能となる。
【００１６】
本発明の請求項６記載のスナップボタンを用いた衣服５５は、請求項１〜５のいずれか１つに記載のスナップボタン１１を用いた衣服５５であって、
前記基材１９である生地のいずれかの縁部に前記スナップボタン１１が設けられていることを特徴とする。
【００１７】
この衣服５５では、基材１９である生地のいずれかの縁部、例えば縁部を前身頃とすれば、前身頃の一方の面２１に雄側部材１３、前身頃の他方の面２３に雌側部材１５が配置され、これら一対の雄側部材１３及び雌側部材１５が連結部材１７によって一体に固定される。この一体となったスナップボタン１１は、前身頃の左右合せ目のそれぞれの縁部に取り付けられる。つまり、縁部の一方の面２１には雄側部材１３、他方の面２３には雌側部材１５が配置される。左右の縁部は、いずれが表側或いは裏側に重ねられても、嵌合雄部２５と嵌合雌部３９とで係合が可能となる。
【発明の効果】
【００１８】
本発明に係る請求項１記載のスナップボタンによれば、基材の一方の面に雄側部材、基材の他方の面に雌側部材が配置され、これら一対の雄側部材及び雌側部材が連結部材によって一体に固定され、例えば衣服の前身頃の左右合せ目のそれぞれの縁部に取り付けられ、つまり、左右の各前身頃の縁部の一方の面には雄側部材、他方の面には雌側部材がそれぞれ配置される。すなわち、左右の縁部は、何れが表側或いは裏側に重ねられても、嵌合雄部と嵌合雌部とで係合が可能となる。したがって、このスナップボタンによれば、前身頃の左右合せ目のそれぞれの縁部に取り付けられる場合、異なる形状の合計２部品種で構成、別言するといずれの前身頃も同じスナップボタンで構成が可能となり、部品種を減らすことが可能となる。また、雄側部材の嵌合雄部は、軸状に形成され、これにより、従来の板金材からなる厚みの薄いキャップでは得ることのできなかった重厚なデザイン、例えば刻印を用いた装飾や立体的な装飾を施すことが可能となり、施せるデザインの範囲を広げて、意匠性を高めることができる。そして、この嵌合雄部は、嵌合雌部に係合が可能であり、従来でのキャップでありゲンコである構成となる。
【００１９】
本発明に係る請求項２記載のスナップボタンによれば、基材の一方の面に雄側部材、基材の他方の面に雌側部材が配置され、これら一対の雄側部材及び雌側部材が連結部材によって一体に固定され、例えば衣服の前身頃の左右合せ目のそれぞれの縁部に取り付け、つまり、左右の各前身頃の縁部の一方の面には雄側部材、他方の面には雌側部材がそれぞれ配置されることとすると、左右の前身頃は、何れが表側或いは裏側に重ねられても、嵌合雄部と嵌合雌部とで係合が可能となる。したがって、このスナップボタンによれば、前身頃の左右合せ目のそれぞれの縁部に取り付けられる場合、異なる形状の合計２部品種で構成、別言するといずれの前身頃も同じスナップボタンで構成が可能となり、従来のような雄側と雌側とで異なる部品種とせずに、同じ部品で構成でき、部品種を減らすことが可能となる。また、雄側部材の嵌合雄部は、先端に向かって次第に拡径される軸状に形成され、これにより、従来の板金材からなる厚みの薄いキャップでは得ることのできなかった重厚なデザイン、例えば刻印を用いた装飾や立体的な装飾を施すことが可能となり、施せるデザインの範囲を広げて、意匠性を高めることが可能となる。そして、この嵌合雄部は、嵌合雌部に係合が可能であり、従来でのキャップでありゲンコである構成となる。
【００２０】
本発明に係る請求項３記載のスナップボタンによれば、雌側部材との係合を可能にしつつ、先端大径部を円形以外の任意の外形状に形成でき、意匠性をより高めることができる。
【００２１】
本発明に係る請求項４記載のスナップボタンによれば、先端大径部の先端面を従来の凹部構造では得られなかった例えば平坦面で形成でき、平坦な先端面と任意の外形状、例えば立体的模様などや、印刷などの加工でデザインの範囲を広げることができる。
【００２２】
本発明に係る請求項５記載のスナップボタンによれば、凹部を基材の表側に取り付ける場合であっても、凹部の底面に表出する構造部材、例えばカシメられた脚筒部等を覆うことが可能となり、付勢部材の内側を目立たなくでき、見栄えを低下させることがなく、底面の美観を高めることが可能となる。
【００２３】
本発明に係る請求項６記載のスナップボタンを用いた衣服によれば、スナップボタンの部品種を減らして意匠性を高めながら、生地のいずれかの縁部に取り付けられ、例えば前身頃に取り付けた場合には、表前立てと裏前立てを逆に（男物女物に対応）することができ、さらには、表裏を逆に着用する所謂リバーシブルに対応することもできる。
【図面の簡単な説明】
【００２４】
【図１】本発明の実施形態に係るスナップボタンの分解斜視図である。
【図２】図１に示したスナップボタンの軸線を含む断面図である。
【図３】嵌合雄部と嵌合雄部の連結状態を表した断面図である。
【図４】先端大径部の先端面形状例を（ａ）〜（ｇ）に示した説明図である。
【図５】嵌合雄部の先端形状例を（ａ）〜（ｄ）に示した説明図である。
【図６】嵌合雄部を花形に形成した雄側部材とそれと係合する雌側部材との係合前の斜視図である。
【図７】異なるデザインの雄側部材を前身頃に取り付けた衣服の正面図である。
【図８】２つ以上のスナップボタンを多重に連結した変形例１の断面図である。
【図９】スナップボタンを多重で使用する例としての衣服の斜視図である。
【図１０】図９に示した衣服におけるスナップボタンの連結状態例を（ａ）（ｂ）に示した概略平面図である。
【図１１】連結部材を釘状連結部材とした変形例２の断面図である。
【図１２】被覆板を凹部の底面に取り付けた変形例３の断面図である。
【発明を実施するための形態】
【００２５】
以下、本発明に係る実施形態を図面を参照して説明する。
図１は本発明の実施形態に係るスナップボタン１１の分解斜視図、図２は図１に示したスナップボタン１１の軸線を含む断面図である。
本実施形態に係るスナップボタン１１は、雄側部材１３と、雌側部材１５と、連結部材１７と、を主要な構成として有する。スナップボタン１１は、雄側部材１３と雌側部材１５とが、基材１９の一方の面２１と他方の面２３とに配置され、基材１９を挟んで表裏一体に連結部材１７で連結固定されることで使用される。
【００２６】
雄側部材１３は、嵌合雄部２５を有する。嵌合雄部２５は、軸状に形成され、本実施形態では、外径が軸線に沿う方向一端の先端に向かって次第に拡径される形状となっている。すなわち、嵌合雄部２５の外周は、先端大径部２７に向かって太くなるテーパを有した略錐形状となる。このテーパの傾斜角度は、軸線に対して例えば４°程度で設定される。図例では、雄側部材１３は、略円柱体で形成される。この略円柱体は、外径が先端（図２の上端）に向かって次第に拡径される。
【００２７】
連結部材１７は、円板２９の片面に、脚筒部３１が同軸で突設される。円板２９は、嵌合雄部２５に一体に固定される。嵌合雄部２５と円板２９との固定は、インサート成形、接着、嵌合雄部２５に設けた固定爪等によるカシメ固定、一体成形品、無垢材からの削りだし等、何れであってもよい。雄側部材１３は、嵌合雄部２５と連結部材１７とが、一体成形品、無垢材からの削りだしの場合、１部品となる。嵌合雄部２５と一体となった連結部材１７は、脚筒部３１が基材１９の取付孔３３に貫通される。基材１９を貫通した脚筒部３１の貫通先端は、雌側部材１５を貫通した後、カシメられる。
【００２８】
なお、連結部材１７は、脚筒部３１に代え、針状部を備えた画鋲状のものであってもよい。この場合、針状部の先端が潰されて雌側部材１５にカシメられる。
【００２９】
雌側部材１５は、嵌合雄部２５が進入する凹部３５を備える。図例の凹部３５は、円形状の空間で形成される。この凹部内周部には、付勢部材であるバネリング３７が設けられている。バネリング３７は、バネ鋼材からなり、円周方向の１箇所が切断された内周が円形のＣ字状に形成される。このバネリング３７の内径は、嵌合雄部２５における先端大径部２７の外径よりも若干小さく形成される。したがって、バネリング３７は、嵌合雄部２５の先端大径部２７の通過を許容し、通過後には復元縮径して、嵌合雄部２５を凹部内に保持する。この凹部３５とバネリング３７は、嵌合雌部３９を構成する。
【００３０】
なお、本実施形態では、嵌合雌部３９とバネリング３７とが別体である例を説明するが、嵌合雌部３９とバネリング３７とは、例えば凹部３５の内周に一体に形成した弾接爪や膨出部等であってもよい。すなわち弾接爪や膨出部が付勢部材とされる。この場合、雌側部材１５は、１部品となる。
【００３１】
嵌合雌部３９の凹部３５は、底面４９側から、小径凹部４１と、大径凹部４３と、からなる。小径凹部４１と大径凹部４３との境は、段部４５となる。バネリング３７は、この段部４５と、凹部開口の返し片４７とで大径凹部４３に保持される。小径凹部４１の内径は、嵌合雄部２５における先端大径部２７の外径よりも若干大きく形成される。すなわち、小径凹部４１は、先端大径部２７の進入を許容している。
【００３２】
小径凹部４１の底面４９には、同心で脚筒貫通孔５１が穿設されている。脚筒貫通孔５１には、雄側部材１３と一体となった連結部材１７の脚筒部３１が貫通する。脚筒部３１は、脚筒貫通孔５１を貫通した先端がカシメられて、例えばフランジ状に拡径される。これにより、雄側部材１３は、雌側部材１５の底面４９から抜けが規制される。
【００３３】
スナップボタン１１は、雄側部材１３が基材１９の一方の面２１に配置され、雌側部材１５が基材１９の他方の面２３に配置される。雄側部材１３の脚筒部３１は、基材１９に穿設された取付孔３３に通される。取付孔３３を貫通した脚筒部３１は、他方の面２３の雌側部材１５の脚筒貫通孔５１に通される。スナップボタン１１は、この脚筒貫通孔５１を貫通した脚筒部３１の先端が潰されてカシメられることにより、図２に示すように、雄側部材１３と雌側部材１５とが基材１９を挟んだ状態となって一体に固定される。
【００３４】
図３は嵌合雄部２５と嵌合雄部２５の連結状態を表した断面図である。
スナップボタン１１は、一対の基材１９のそれぞれの縁部に固定される。上記のように、スナップボタン１１は、雄側部材１３と雌側部材１５とが基材１９を挟んで一体に固定される。それぞれの縁部に固定されたスナップボタン１１は、嵌合雄部２５と嵌合雌部３９とを係合することにより、縁部同士を止めることができる。
【００３５】
一対の基材１９のそれぞれの縁部には、１つのスナップボタン１１が用いられる。スナップボタン１１は、一対の縁部の止め箇所で、同一のものが２つ用いられる。すなわち、２部品種（雄側部材１３、雌側部材１５）の４部品を用いることで、１つの止め箇所を止めることが可能となる。このように、スナップボタン１１は、１つの止め箇所における部品種を、従来の４部品種、すなわちキャップ、バネ、ゲンコ、ホソの４種類から２部品種と少なくできる。
【００３６】
図４は先端大径部２７の先端面形状例を（ａ）〜（ｇ）に示した説明図である。
スナップボタン１１は、嵌合雄部２５が、先端大径部２７の外接円５３と接する少なくとも二箇所、好ましくは中心に対して略放射方向の三箇所以上で、バネリング３７の内側に係合する。嵌合雌部３９の先端大径部２７の形状は、図４（ａ）に示す真円とすることができる。先端大径部２７の形状は、真円以外に、例えば図４（ｄ）に示す楕円や長円、或いは三角形、図４（ｆ）に示す四角形、図４（ｇ）に示す六角形、図４（ｅ）に示す星形等の多角形の他、図４（ｂ）に示す花形や図４（ｃ）に示すハート形等の任意形状とすることが可能となる。
【００３７】
図５は嵌合雄部２５の先端形状例を（ａ）〜（ｄ）に示した説明図である。
また、スナップボタン１１の嵌合雄部２５は、上記した先端に向かって次第に拡径されるテーパで形成される略錐形状とした形状の他に、先端の外径のみが基端側の外径に対して大きく形成される略軸状に形成されるものであってもよい。例えば、図５（ａ）に示すように、基端側２６は同径の軸状に形成され、先端の周縁部分に軸線に対して直交する放射方向で膨出部分を形成して外径を大きく形成し、この膨出部分を先端大径部２７とする構成や、図５（ｂ）に示すように、基端側２６の半部は同径の軸状とし、中途から先端の半部を先端に向けて拡径するように略錐状に形成して先端大径部２７とする構成や、図５（ｃ）に示すように、基端側２６を同径の軸状に形成し、先端側を基端側２６よりも大径の軸状に形成して、これら基端側と先端側との間をテーパ面２８で接続するような形状として、先端大径部２７を得る構成、さらに図５（ｄ）に示すように、先端に上記図５（ａ）のような膨出形状を構成して先端大径部２７とするとともに、基端側２６は先端に向けて次第に拡径するよう略錐状に構成して、且つ先端大径部２７の形状を上述した花形などの形状で構成させることとしてもよい。
【００３８】
図６は嵌合雄部２５を花形に形成した雄側部材１３とそれと係合する雌側部材１５との係合前の斜視図である。
スナップボタン１１は、嵌合雄部２５が図４（ｂ）に示す花形や図４（ｅ）に示す星形の場合、５箇所でバネリング３７に係合させることができる。従来、嵌合雄部２５は、外形状が一般的に円形であったが、本発明のスナップボタン１１は、衣服に使用した場合に係止構造を暗示させない意外性のあるデザイン、例えば花形や星形等を嵌合雄部２５の先端面に施すことができるようになる。
【００３９】
スナップボタン１１は、嵌合雄部２５の先端面に、様々な意匠を施すことができる。意匠としては、具体例として刻印や印刷、彩色、シール接着等を挙げることができる。
【００４０】
図７は異なるデザインの雄側部材１３を前身頃に取り付けた衣服５５の正面図である。
本実施形態に係る衣服５５は、基材１９である前身頃の左右合せ目のそれぞれの縁部にスナップボタン１１が設けられている。スナップボタン１１は、左右縁部で２個が１組として用いられる。スナップボタン１１は、雄側部材１３が表面側となる状態と、雌側部材１５が表面側となる状態との両方の使用が可能となる。すなわち、衣服５５は、裏返しても、スナップボタン１１が機能することになる。これにより、スナップボタン１１は、リバーシブルの衣服５５に対応が可能となる。また、衣服５５は、着用時に左右の縁部のどちらが表となってもよく、左前身頃と右前身頃がどちらも前面になる。これにより、スナップボタン１１は、表前立てと裏前立てを逆に、すなわち男物女物に対応することができる。
【００４１】
図７に示す例では、１つの衣服５５に異なる形状の雄側部材１３が、同一の雌側部材１５と対で固定される。これら異なる形状の雄側部材１３は、外接円５３の半径が同一となっている。したがって、それぞれの雄側部材１３は、任意の位置の雌側部材１５に係止が可能となる。このように、スナップボタン１１を用いた衣服５５は、嵌合雄部２５に色違い、形違いがあっても、対する嵌合雌部３９のバネリング３７に保持されるので、異なる種々の形態の雄側部材１３を備えたデザイン性の高い衣服５５とすることができる。
【００４２】
この他、スナップボタン１１は、例えば上衣と下衣とを連結するスナップ、上衣のファー（襟）部分を脱着自在とする構造、襟部分のフードの脱着構造、袖や裾のロールアップ、袖の径調節、コートのライナーの脱着、ポケットを追加する、などの構造や、帽子を構成する鍔の付け替え、帽子のイヤーフラップやイヤーウォーマー、ネックウォーマーの脱着、ネックガード（日除け）の脱着、などにも好適に用いることができる。
【００４３】
また、スナップボタン１１は、異素材の組み合わせにも使用することができる。すなわち、このスナップボタン１１が取り付けられる基材として、上記例では衣服であったが、衣服以外の織布や不織布、プラスチックや金属、紙などに設けることとしてもよく、例えば、カーテンや布製パーティションにプラスチック製収納ケースを取り付ける、金属箱に布製ポケットを取り付ける、紙製箱にプラスチック製ラベルを取り付ける等の応用例を挙げることができる。スナップボタン１１は、何れの場合も、同じ径の雄側部材１３と雌側部材１５で、これら２つの部品の組み合わせで１組となっているので、少ない部品種で汎用性を広げることができる。
【００４４】
次に、上記した構成の作用を説明する。
本実施形態に係るスナップボタン１１では、基材１９の一方の面２１に雄側部材１３、基材１９の他方の面２３に雌側部材１５が配置され、これら一対の雄側部材１３及び雌側部材１５が連結部材１７によって一体に固定される。この一体となったスナップボタン１１は、例えば衣服５５の前身頃の左右合せ目のそれぞれの縁部に取り付けられる。つまり、縁部の一方の面２１には雄側部材１３、他方の面２３には雌側部材１５が配置される。左右の縁部は、何れが表側或いは裏側となって重ねられても、嵌合雄部２５と嵌合雌部３９とで係合が可能となる。
【００４５】
従来の雄側部材と雌側部材とは、それぞれ異なる形状の２部品種からなる。したがって、従来のスナップボタンは、前身頃の左右合せ目のそれぞれの縁部に取り付けられる場合、それぞれの表裏面で異なる形状の合計４部品種が必要となる。これに対し、スナップボタン１１では、雄側部材１３と雌側部材１５とは、それぞれ異なる形状の１部品種からなる。したがって、スナップボタン１１は、前身頃の左右合せ目のそれぞれの縁部に取り付けられる場合、異なる形状の合計２部品種のみで構成が可能となる。
【００４６】
また、雄側部材１３の嵌合雄部２５は、軸状に形成される。この軸状は、例えば亜鉛ダイキャストによって形成される。金属板を板金加工することによって得られる中空の筒体や柱体と構造が異なる。軸状は、少なくとも中実部分が先端大径部２７の先端面近傍に存在する構成となる。嵌合雄部２５は、全体的にはブロック状に形成できる。これにより、従来の板金材からなる厚みの薄いキャップでは得ることのできなかった重厚なデザイン、例えば刻印を用いた立体的な装飾を施すことが可能となる。
【００４７】
同時に、嵌合雄部２５は、中実構造とすることができるので、外周面に強度を持たせることができるようになる。これにより、雄側部材１３は、キャップでは困難な耐久性の高い先端大径部２７を得ることができる。すなわち、先端大径部２７は、外径が軸線に沿う先端に向かって次第に拡径されるように形成されることで、先端面の周縁エッジを小さなＲで且つ高強度に形成できる。これにより、雄側部材１３は、雌側部材１５のバネリング３７との係合性を確実にし、しかも、摩耗やへたり等に対する耐久性を高めることが可能となる。
【００４８】
また、このスナップボタン１１では、先端大径部２７の先端面の外形状が、真円以外であっても、嵌合雌部３９の凹部３５と係合を可能にできる。真円以外の外形状は、例えば楕円や長円、或いは三角形、四角形、六角形、星形等の多角形の他、花形やハート形の任意形状とすることが可能となる。その結果、雌側部材１５との係合を可能にしつつ、先端大径部２７を円形以外の外形状に形成でき、意匠性をより高めることができる。
【００４９】
また、このスナップボタン１１では、嵌合雌部３９における先端大径部２７の先端面が、平坦面で形成が可能となることにより、先端面が凹部３５である場合に比べ、デザインの視認性を高めることができる。嵌合雄部２５が軸状に形成されることで、板金キャップ等では実現できなかった、細密な隆起模様を刻印等によって施すことも可能となる。この他、先端面の意匠は、印刷、エッチング、切削、メッキ、レーザ加工、烙印、サンドブラスト、研磨、梨地加工によって付与することが可能となる。
【００５０】
なお、スナップボタン１１の構成は、先端大径部２７の先端面が凹状となることを妨げるものではない。また、嵌合雄部２５の材質は、上記した亜鉛ダイキャストの他、アルミ合金、鉄、ステンレス、金、銀、銅などの金属素材、或いは、木、石、セラミック、合成樹脂等を用いることができる。その結果、先端大径部２７の先端面を従来の凹部構造では得られなかった例えば平坦面で形成でき、平坦な先端面と任意の外形状でデザインの範囲を広げることができる。
【００５１】
本実施形態に係る衣服５５では、前身頃の一方の面２１に雄側部材１３、前身頃の他方の面２３に雌側部材１５が配置され、これら一対の雄側部材１３及び雌側部材１５が連結部材１７によって一体に固定される。この一体となったスナップボタン１１は、前身頃の左右合せ目のそれぞれの縁部に取り付けられる。つまり、縁部の一方の面２１には雄側部材１３、他方の面２３には雌側部材１５が配置される。左右の縁部は、何れが表側或いは裏側に重ねられても、嵌合雄部２５と嵌合雌部３９とで係合が可能となる。
【００５２】
次に、上記構成の変形例を説明する。
図８は２つ以上のスナップボタン１１を多重に連結した変形例１の断面図、図９はスナップボタンを多重で使用する例としての衣服の斜視図、図１０は図９に示した衣服におけるスナップボタンの連結状態例を（ａ）（ｂ）に示した概略平面図である。なお、以下の各変形例において、図１〜図７に示した部材と同一の部材には同一の符号を付し重複する説明は省略する。
変形例１に係るスナップボタン１１は、２つ以上のものが積み重ねて接続、連結される。これにより、スナップボタン１１は、例えばコートなどの衣服の脱着自在なライナー等を二重、三重にして連結することができる。また、スナップボタン１１は、ポケットを重ねて取り付けることもできる。
【００５３】
例えば、図９に示す衣服としてのコート５５Ａに設けられるスナップボタン１１は、コート５５Ａのライナー５５Ｂと重ね合わせて使用する際に、ライナー５５Ｂの各スナップボタン１１と接続することで、一体化構成とすることができる。すなわち、コート５５Ａの内面に配設されるスナップボタン１１の雌側部材１５に、ライナー５５Ｂのスナップボタン１１の雄側部材（図示せず）を嵌合させることで連結される。このとき、各スナップボタン１１では、それぞれの前身頃で多重に連結可能であることから、図１０（ａ）に示すように、ライナー５５Ｂのみで前身頃同士をスナップボタン１１で連結した上に、コート５５Ａの各前身頃を閉じ重ねて各スナップボタン１１を連結することとしてもよく、また、図１０（ｂ）に示すように、コート５５Ａとライナー５５Ｂとを予めスナップボタン１１でそれぞれの前身頃を連結させてライナー５５Ｂをコート５５Ａの内面とし重ね合わせ一体化させ、それら左右の前身頃同士を閉じることでスナップボタン１１で連結させるような使用方法としてもよい。また、図示のフード５５Ｃについてもコート５５Ａの襟部分に設けたスナップボタン１１にフード５５Ｃのスナップボタン１１を連結することでフード付コートを構成でき、さらには、この襟にファー５５Ｄをスナップボタン（図示せず）にて取り付けることも可能であり、これらフードや５５Ｃやファー５５Ｄは脱着が容易である。そしてこれら各部５５Ａ〜５５Ｄの各スナップボタン１１は、全て同じデザインで統一するなどして意匠性を得ることが可能となる。
【００５４】
また、スナップボタン１１は、衣服以外にも脱着自在な構造、表裏が反転しても使える構造、２つ以上が積み重ねられる構造として使用することができ、すなわち、スナップボタン１１は、布製玩具等にも取り付けることができる。この場合、従来のような雄雌１対のみではなく、互いに連結され、また何重にも積み重ねが可能となる。これにより、ブロック玩具のような接続の自由度を向上させることができる布製玩具を得られ、基材となる部分はフェルトなどを用いて様々な形状を、そしてこの基材に対してスナップボタン１１を複数、例えば並列やマトリクス状などに設けて、知育玩具などとして使用することが可能となる。なお、玩具として用いる際には、スナップボタン１１の素材を樹脂としたり、外形状を上記したような真円以外の形状としたり、色などを変えたりしてもよい。
【００５５】
図１１は連結部材１７を釘状連結部材５７とした変形例２の断面図である。
変形例２に係るスナップボタン５９は、連結部材１７が釘タイプの釘状連結部材５７となる。釘状連結部材５７は、釘部６１の先端が、嵌合雄部６３に形成された係合溝６５にカシメられて雄側部材６７の嵌合雄部６３に雌側部材６９を固定する。釘状連結部材５７は、円板２９が被覆板である装飾プレート７１によって覆われている。この場合の装飾プレート７１は、円板２９と一体に構成される。装飾プレート７１は、雌側部材６９の小径凹部４１において表出する。
このスナップボタン５９によれば、雄側部材６７と雌側部材６９の双方に装飾性を持たせることができる。これにより、スナップボタン５９は、例えばリバーシブルの衣服に用いられて、雌側部材６９が表側となって使用される場合であっても、カシメ部分を表出させずに覆うことができ、見栄えの低下する底面４９の美観を高め、着色や刻印などを施すことでさらに意匠性を高めることができる。
【００５６】
図１２は被覆板を凹部３５の底面４９に取り付けた変形例３の断面図である。
変形例３に係るスナップボタン７３は、雌側部材１５の凹部３５に、底面４９を覆う被覆板である装飾プレート７５が設けられている。装飾プレート７５は、連結部材１７または小径凹部４１の底面４９に後から接着などで固定される。
このスナップボタン７３では、雌側部材１５の凹部３５に装飾プレート７５が設けられることで、凹部３５の底面４９に表出する構造部材、例えばカシメられた脚筒部３１等を後から覆うことが可能となる。これにより、見栄えの低下している底面４９の美観を高めることができる。その結果、凹部３５を基材１９の表側に取り付ける場合であっても、脚筒部３１を覆ってバネリング３７の内側を目立たなくでき、見栄えを低下させることがなく、この装飾プレート７５によって意匠性を高めることが可能となる。なお装飾プレートい７５には、着色や刻印、印刷などを施すことで、さらに意匠性を高めることができる。
【００５７】
なお、本発明に係るスナップボタンは、雄側部材１３と雌側部材１５とを単体使用するものであってもよい。例えば基材となる左右前身頃の一方の縁部の一方の面２１に雄側部材１３、他方の面２３に雌側部材１５を取り付け、他方の縁部の一方の面２１に雄側部材１３、他方の面２３にホソを取り付ける。この場合、縁部同士は、一方の縁部の雌側部材１５と、他方の縁部の雄側部材１３とを係合して接続できる。そして一方の縁部の雄側部材１３には、他の構成の雌側部材１５を係合させることができる。
【００５８】
また、スナップボタンは、単体使用で三層の基材を接続することができる。例えば中層の基材の一方の面２１及び他方の面２３に、雌側部材１５を背合わせで取り付ける。上層の基材の下面に雄側部材１３、上面にキャップ或いはホソを取り付ける。下層の基材の上面に雄側部材１３、下面にホソを取り付ける。この場合、三層の基材は、中層基材の表裏に設けられている雌側部材１５のそれぞれに雄側部材１３を係合することで積層して接続できる。また、中層と上層の間や中層と下層の間に、別構成の雄側部材１３と雌側部材１５とが設けられている層を介設させることができる。
【００５９】
また、スナップボタンは、一方の基材の一方の面２１に雄側部材１３、他方の面２３に雌側部材１５を取り付け、他方の基材の一方の面２１に雄側部材１３、他方の面２３にワッシャを取り付ける。この場合、縁部同士は、一方の縁部の雌側部材１５と、他方の縁部の雄側部材１３とを係合して接続できる。この例においても一方の縁部の雄側部材１３には、他の構成の雌側部材１５を係合させることができ、多層構造とすることができる。
【００６０】
したがって、本実施形態に係るスナップボタン１１によれば、基材１９に対して、一方の面２１に雄側部材１３、他方の面２３に雌側部材１５を配置し、これら雄側部材１３と雌側部材１５とを連結部材１７にて表裏一体に固定した構成としたので、部品種を減らすことができ、部品管理を簡略化でき、金型なども減って製造コストを抑えることが可能となる。また、雄側部材１３は、所謂キャップであり、且つゲンコでもある構成となり、基材１９に表出しても違和感が無く、また、雄側部材１３は任意の形状に形成することができて施せるデザインの範囲を広げて、スナップボタン１１としての意匠性を高めることができる。
【００６１】
本実施形態に係るスナップボタン１１を用いた衣服５５によれば、スナップボタン１１の部品種を減らして意匠性を高めながら、雄側部材１３と雌側部材１５とでいずれも表に配置されて良く、リバーシブルに対応することや、表前立てと裏前立てを逆に（男物女物に対応）することもできる。また、左前身頃と右前身頃を係合したうえで、さらにその上から、或いはその下から、フード、ファー、入れ物等を脱着することができる。さらに、このスナップボタン１１では、重ねて係合できることから、例えば衣服がコートである場合に、脱着自在なライナー等を二重、三重にして連結することができる。
【符号の説明】
【００６２】
１１…スナップボタン
１３…雄側部材
１５…雌側部材
１７…連結部材
１９…基材
２１…一方の面
２３…他方の面
２５…嵌合雄部
２７…先端大径部
３５…凹部
３７…付勢部材（バネリング）
３９…嵌合雌部
４９…底面
５３…外接円
５５…衣服
７１…被覆板（装飾プレート）
７５…被覆板（装飾プレート）
【図１】
2017029652.tif 000003
【図２】
2017029652.tif 000004
【図３】
2017029652.tif 000005
【図４】
2017029652.tif 000006
【図５】
2017029652.tif 000007
【図６】
2017029652.tif 000008
【図７】
2017029652.tif 000009
【図８】
2017029652.tif 000010
【図９】
2017029652.tif 000011
【図１０】
2017029652.tif 000012
【図１１】
2017029652.tif 000013
【図１２】
2017029652.tif 000014